(57)【要約】【課題】部品共用化と開発日程短縮化を実現できる洗濯機を提供すること。【解決手段】洗濯槽４３を回転自在に内包し前部水槽９１と後部水槽９０とで構成された水槽４２の上部に形成された複数の取付ボス８９に、取付ボルト９４および取付ナット９５で螺合固着された制振用の錘５０を備え、取付ボス８９は、前部水槽９１に設けた前部取付ボス９３と後部水槽９０に設けた後部取付ボス９２とで構成することにより、部品を共用化することができ、仕様の異なる機種の製品展開が容易となり、開発日程を短縮化することができる。【選択図】図１
2020069281.tif 000002
【特許請求の範囲】
【請求項１】
本体と、前記本体内に配設される水槽と、前記水槽内に配設される洗濯槽と、前記洗濯槽を回転するモータと、前記水槽に固定される制振用の錘とを備え、前記水槽には、前記錘の固定位置を調整する調整手段を設けた洗濯機。
【請求項２】
前記水槽は、後部水槽と、前部水槽から構成し、前記後部水槽に、前記前部水槽の前後方向の長さに合わせて前記錘の固定位置を調整する調整手段を設けた請求項１に記載の洗濯機。
【発明の詳細な説明】
【技術分野】
【０００１】
本発明は、洗濯物を洗濯する洗濯機に関するものである。
【背景技術】
【０００２】
従来、この種の洗濯機は、振動系の振動を抑制するために制振用の錘を設ける構成が提案されている（例えば、特許文献１参照）。
【０００３】
図６は、特許文献１に記載された従来の洗濯機の内部構造を示す一部破断側面図である。
【０００４】
図６において、外槽３に外槽付設部品群４が取り付けられ、その外槽３及び外槽付設部品群４がベース１からバネ５、ダンパー６によって支持されており、外槽３の内部には洗濯槽２が回転自在に設置されている。
【０００５】
外槽付設部品群４は、外槽３を受ける外槽受け枠１１、制振用の錘１０、および、開放自在の蓋１３などで構成されている。
【０００６】
また、洗濯槽２は、外槽３に取り付けられた駆動機構７によって回転駆動される。
【０００７】
以上の構成にて、洗い行程後に、洗濯水を排水した上で、洗濯槽２を高速回転させ脱水行程を行う。
【０００８】
洗濯槽２の回転時においては、洗濯槽２の内周壁に洗濯物が押し付けられた状態で回転するため、洗濯物の偏在が偏心荷重となって、洗濯槽２、外槽３、および、外槽付設部品群４が激しく振動し、大きな騒音が発生することになる。しかし、外槽３をバネ５、ダンパー６によって支持するとともに、制振用の錘１０を設けて、重量を増加させ振動系の重心を調整することにより、振動の抑制を図っている。
【先行技術文献】
【特許文献】
【０００９】
【特許文献１】特開２００１−２６９４９７号公報
【発明の概要】
【発明が解決しようとする課題】
【００１０】
しかしながら、前記従来の構成では、消費者の家族構成や価値観の多様化により、低・中容量の洗濯機で満足する消費者もいる一方、家庭で大きな衣類を洗うために大容量の洗濯機を要望する消費者もいる。このような要望に応えるために、複数の機種を展開する場合、その容量や性能の違いにより槽の大きさや重量が変化するために、制振用の錘やその取付けは、機種毎に最適設計を行う必要があり、そのために設計が煩雑になるという課題があった。
【００１１】
本発明は、前記した従来の課題を解決するもので、容量や性能の異なる機種間においても、部品を共用できる構成とすることにより、商品展開が容易である洗濯機を提供することを目的とする。
【課題を解決するための手段】
【００１２】
前記従来の課題を解決するために、本発明の洗濯槽は、本体と、前記本体内に配設され
る水槽と、前記水槽内に配設される洗濯槽と、前記洗濯槽を回転するモータと、前記水槽に固定される制振用の錘とを備え、前記水槽には、前記錘の固定位置を調整する調整手段を設けたものである。
【００１３】
これにより、仕様の異なる機種の製品展開が容易となり、開発日程を短縮化することができる。
【発明の効果】
【００１４】
本発明によれば、仕様の異なる機種の製品展開が容易となり、開発日程を短縮化できる。
【図面の簡単な説明】
【００１５】
【図１】本発明の実施の形態における洗濯機の縦断面図
【図２】同洗濯機の概略的な透視斜視図
【図３】同洗濯機の分解斜視図
【図４】同洗濯機の要部断面図
【図５】同洗濯機の要部断面図
【図６】従来の洗濯機の一部破断側面図
【発明を実施するための形態】
【００１６】
第１の発明は、本体と、前記本体内に配設される水槽と、前記水槽内に配設される洗濯槽と、前記洗濯槽を回転するモータと、前記水槽に固定される制振用の錘とを備え、前記水槽には、前記錘の固定位置を調整する調整手段を設けたものである。
【００１７】
これにより、仕様の異なる機種の製品展開が容易となり、開発日程を短縮化することができる。
【００１８】
第２の発明は、特に、第１の発明の前記水槽は、後部水槽と、前部水槽から構成し、前記後部水槽に、前記前部水槽の前後方向の長さに合わせて前記錘の固定位置を調整する調整手段を設けたものである。
【００１９】
これにより、仕様の異なる機種間で部品の供用ができ、仕様の異なる機種の製品展開が容易となり、開発日程を短縮化することができる。
【００２０】
以下、本発明の実施の形態について、図面を参照しながら説明する。なお、この実施の形態によって本発明が限定されるものではない。
【００２１】
（実施の形態１）
図１は、本発明の実施の形態における洗濯機の縦断面図、図２は、同洗濯機の概略的な透視斜視図である。
【００２２】
図１、図２において、本体４１の内部には、水槽ユニット４９が設けられる。水槽ユニット４９は、水槽４２と、洗濯槽４３と、モータ４５、および、後述する錘５０などで構成される。
【００２３】
水槽４２は、本体４１の内部に揺動自在に配設されており、断面略Ｕ字状円筒体の前部水槽９１と後部水槽９０を水密的に固着して構成される。
【００２４】
水槽４２は、本体４１の下部に取り付けられた複数の防振ダンパー５１と、本体４１の上部と水槽４２との間に設けられた複数のばね体（図示せず）により、揺動自在に防振支
持されている。
【００２５】
水槽４２内には、洗濯槽４３が回転自在に配設される。洗濯槽４３の内壁面には、洗濯物を撹拌するための数個の突起板４７が設けられる。また、洗濯槽４３の外周壁には、多数の通水孔４８が設けられる。
【００２６】
洗濯槽４３の回転中心部分には、水平方向に延在する回転軸（回転中心軸）４４が設けられる。回転軸４４には、水槽４２の背面側近傍に配置されたモータ４５が、ベルト４６を介して連結される。モータ４５により洗濯槽４３が正転方向または逆転方向に回転駆動される。
【００２７】
本体４１には、洗濯槽４３の衣類出入口５３と対向する位置に本体開口部が設けられる。本体開口部を開閉自在に覆うように蓋体５２が設けられる。蓋体５２を開くことにより、衣類出入口５３を通じて洗濯槽４３内に洗濯物を出し入れすることができる。
【００２８】
本体４１内の上部には、制御装置８１が設けられている。制御装置８１は、マイクロコンピュータなどで構成される。制御装置８１は、モード設定や制御プログラムに従って、モータ４５、第１の電磁弁５７、第２の電磁弁５８、排水ポンプ６３、および循環ポンプ６７を制御して、洗い行程、すすぎ行程、脱水行程を含む洗濯行程を実行する。
【００２９】
本体４１の内部には、洗濯水（例えば、水道水）を水槽４２内に供給する給水経路５４と、水槽４２内の洗濯水を本体４１の外部に排出する排水経路５５と、水槽４２内の洗濯水を循環させる水循環経路５６が設けられる。
【００３０】
給水経路５４は、第１の給水ホース５９と、第２の給水ホース６０と、洗剤収納部６１と、注水ホース６２とにより構成される。
【００３１】
第１の給水ホース５９には、第１の電磁弁５７が設けられる。第２の給水ホース６０には、第２の電磁弁５８が設けられる。
【００３２】
洗剤収納部６１は、洗剤や柔軟仕上げ剤を収容する引き出し部（図示せず）を外部から引き出し可能に収納する。第１の電磁弁５７または第２の電磁弁５８を開くことにより、洗濯水が第１の給水ホース５９または第２の給水ホース６０に流入する。第１の給水ホース５９または第２の給水ホース６０に流入した洗濯水は、洗剤収納部６１と注水ホース６２とを通過し、水槽４２内に供給される。
【００３３】
排水経路５５は、排水管６４と、フィルタ６５と、排水ポンプ６３と、排水ホース６６とにより構成される。
【００３４】
排水管６４は、水槽４２の底部の凹部７１に設けられた排水口８２と、フィルタ６５とに接続される。フィルタ６５は、洗濯水内の糸屑類を補集するものであり、外部から取り外し可能に構成される。
【００３５】
排水ポンプ６３は、フィルタ６５と排水ホース６６とに接続される。排水ホース６６は、本体４１の内部から本体４１の外部の上方まで延在するように設けられる。洗い行程終了時、すすぎ行程終了時などの所定のタイミングで、排水ポンプ６３が駆動することによって、水槽４２内の洗濯水が、排水管６４、フィルタ６５、排水ポンプ６３、および排水ホース６６を順に通過して外部に排水される。
【００３６】
水循環経路５６は、予洗い行程時、洗い行程時、すすぎ行程時などの所定のタイミング
で、水槽４２内の洗濯水を循環させるために設けられる。水循環経路５６により、洗剤が洗濯水に早期に溶け込むことができるとともに、洗剤の偏りが防止される。その結果、洗濯機の洗いやすすぎの能力が向上される。
【００３７】
この水循環経路５６は、排水管６４と、フィルタ６５と、流入側経路６８と、循環ポンプ６７と、吐出側経路６９と、噴出口７０とで構成される。
【００３８】
流入側経路６８は、フィルタ６５と循環ポンプ６７とを接続する経路である。吐出側経路６９は、循環ポンプ６７と噴出口７０とを接続する経路である。噴出口７０は、吐出側経路６９を通る洗濯水を、洗濯槽４３内に吐出するように水槽４２の前部に設けられる。
【００３９】
水槽４２内の洗濯水は、循環ポンプ６７を駆動することにより、排水管６４、フィルタ６５、流入側経路６８、循環ポンプ６７、吐出側経路６９、および噴出口７０を順に通過し、実線矢印で示す循環水として洗濯槽４３内に吐出される。なお、噴出口７０は、洗濯槽４３の円周方向に並んで複数設けられ、循環水が洗濯槽４３内の洗濯物に向かって複数の方向からふりかけられる。
【００４０】
水槽４２の底部には、凹部７１が形成され、排水管６４に接続される。凹部７１には、洗濯水を加熱するために、シーズヒータ等からなるヒータ７２が設けられる。ヒータ７２は、その長手方向が水平方向と一致または略一致するように配置される。ヒータ７２によって水槽４２内の洗濯水が加熱される。
【００４１】
ヒータ７２によって加熱された洗濯水は、水循環経路５６を介して循環されて洗濯槽４３内に吐出され、洗濯物にふりかけられる。その後、洗濯物にふりかけられた洗濯水は、通水孔４８を通じて水槽４２内に移動し、ヒータ７２によって加熱される。これらの動作が繰り返される。洗濯水を加熱することにより、洗濯水の分子活動が活発化されるとともに、洗剤が活性化される。その結果、洗濯水の洗浄能力が向上し、洗濯物の洗いムラを小さくすることができる。また、ヒータ７２の近傍には、水温を検知するサーミスタ等の温度検知部７３が設けられている。
【００４２】
水槽４２の底部後方の側壁には、排水管６４と連通するようにエアートラップ７４が形成される。エアートラップ７４は、空気管７５に接続される。空気管７５は、本体４１内の上部に設けられた水位検知部７６に接続される。水位検知部７６は、例えば、圧力センサなどで構成される。水位検知部７６は、水槽４２内部の洗濯水の水圧、すなわち、対応するエアートラップ７４内の圧力に基づいて、水槽４２内の洗濯水の水位を検知する。
【００４３】
本体４１内の上部には、洗剤収納部６１の後面上部と水槽４２の上部とを連結する連結ホース７７が設けられる。連結ホース７７は、洗濯行程中に加圧された水槽４２内の空気を抜くように機能する。
【００４４】
水槽４２の上面後部には、水槽ユニット４９の振動を検知する振動検知部７８が配設される。本実施の形態では、振動検知部７８として、一方向の振動だけでなく前後方向（Ｘ軸方向）、左右方向（Ｙ軸方向）、上下方向（Ｚ軸方向）の３次元方向の振動成分を検出する加速度センサが用いられている。
【００４５】
ここでは、振動検知部７８が検知する３次元方向のそれぞれの軸を「検知軸」と称す。実際の水槽ユニット４９の振動は、必ずしも一方向にのみ発生するものではない。このため、振動検知部７８として複数方向の振動を検知する加速度センサを用いることで、水槽ユニット４９の振動を高精度で検知することができる。制御装置８１は、振動検知部７８の検知結果に基づいて運転を制御する。
【００４６】
本体４１の前面上部には、操作表示部７９が設けられる。操作表示部７９には、運転コース等のモードや各種機能の設定（選択）が可能な入力設定部８０と、入力設定部８０に入力された情報を表示する表示部（図示せず）とが設けられる。使用者は、運転コース等のモードや各種機能の設定を、入力設定部８０に入力することにより行うことができる。
【００４７】
図３は、本発明の実施の形態における洗濯機の錘取り付けを示す分解斜視図、図４は、同洗濯機の錘取り付けを示す要部断面図、図５は、同洗濯機の錘取り付けボルト回りを示す部分要部断面図である。なお、図４は水槽の回転軸方向、図５は回転軸と直行する方向の断面図である。
【００４８】
水槽４２は、前部水槽９１と後部水槽９０により構成される。水槽４２の上部には、前部水槽９１と後部水槽９０にまたがって、制振用の錘５０が取付ボス８９に固定されている。水槽ユニット４９の重量と水槽ユニット４９の重心位置に合わせて錘５０の取り付け位置を調整することにより、振動、騒音を抑制する。
【００４９】
錘５０には、３か所の取付孔が形成されており、前部取付孔９７を前部水槽９１の前部取付ボス９３に、２か所の後部取付孔９６を後部水槽９０の後部取付ボス９２にセットする。そして、取付ボルト９４と取付ナット９５により螺合固着して水槽４２に錘５０を固定するようになっている。
【００５０】
前部取付ボス９３は、上部に前部鍔部８８を有する略Ｕ字状をしており、前部鍔部８８下の前部溝部８６に、取付ボルト９４の頭部に形成した平面矩形状の矩形座面９８を嵌合して取り付ける。
【００５１】
後部取付ボス９２は、上部に後部鍔部８７を有する略Ｕ字状をしており、後部鍔部８７下の後部溝部８５に、取付ボルト９４の頭部に形成した平面矩形状の矩形座面９８を嵌合して取り付けてる。後部取付ボス９２は、水槽４２の前後方向（回転軸方向）に長手形状に形成されており、後部溝部８５も水槽４２の前後方向に長手形状としているので、取付ボルト９４は、矩形座面９８が前後方向に摺動可能となる。
【００５２】
水槽ユニット４９に対して錘５０の取付位置を調整する際には、後部取付ボス９２の後部溝部８５に嵌合させた取付ボルト９４を、錘５０の後部取付孔９６に合わせて前後に摺動させる。
【００５３】
以上の構成にて、例えば、容量が異なる機種を展開する場合に、後部水槽９０をそのまま用いて、前部水槽９１の前後長さを変更することで容量を変更することができる。
【００５４】
容量を大きくする場合には、前部水槽９１の長さが長くなるため、水槽ユニット４９の重心は、前側へ移動するが、前部取付ボス９３の位置に合わせて、後部水槽９０の後部取付ボス９２に取り付けた取付ボルト９４は前後方向に摺動することが可能であるので、後部水槽９０を変更することなく、移動した重心に対応した位置に錘５０を取付けることができる。
【００５５】
以上のように、本実施の形態においては、洗濯槽４３を回転自在に内包し前部水槽９１と後部水槽９０で構成された水槽４２の上部に形成された複数の取付ボス８９に、取付ボルト９４および取付ナット９５で螺合固着された制振用の錘５０を備え、取付ボス８９は、前部水槽９１に設けた前部取付ボス９３と後部水槽９０に設けた後部取付ボス９２とで構成することにより、錘５０と後部水槽９０を共用化することができ、仕様の異なる機種の製品展開が容易となり、開発日程を短縮化することができる。
【００５６】
また、取付ボルト９４は、頭部に平面矩形状の矩形座面９８を形成し、前部取付ボス９３は、上部に前部鍔部８８を設け、前部鍔部８８の下に前部溝部８６を有する略Ｕ字状に形成され、後部取付ボス９２は、洗濯槽４３の回転軸４４方向に長手形状で、長手方向の上部に後部鍔部８７を設け、後部鍔部８７の下に後部溝部８５を有する略Ｕ字状に形成されるとともに、取付ボルト９４を前部取付ボス９３および後部取付ボス９２に取付時に、取付ボルト９４の矩形座面９８を前部溝部８６に嵌着し、かつ、矩形座面９８を後部溝部８５内で摺動して位置決めする構成とすることにより、錘５０と後部水槽９０を共用化することができ、仕様の異なる機種の製品展開が容易となり、開発日程を短縮化することができる。
【産業上の利用可能性】
【００５７】
以上のように、本発明にかかる洗濯機は、容量や性能の異なる機種間においても、水槽の一部と制振用の錘が共用できる構成とすることにより、製品展開が容易となり、開発日程を短縮化することが実現できるので、縦型など他の洗濯機の用途に適用できる。
【符号の説明】
【００５８】
４１  本体
４２  水槽
４３  洗濯槽
４４  回転軸
４５  モータ
４９  水槽ユニット
５０  錘
８５  後部溝部
８６  前部溝部
８７  後部鍔部
８８  前部鍔部
８９  取付ボス
９０  後部水槽
９１  前部水槽
９２  後部取付ボス
９３  前部取付ボス
９４  取付ボルト
９５  取付ナット
９８  矩形座面
【図１】
2020069281.tif 000003
【図２】
2020069281.tif 000004
【図３】
2020069281.tif 000005
【図４】
2020069281.tif 000006
【図５】
2020069281.tif 000007
【図６】
2020069281.tif 000008